(57)【要約】【課題】扇風機における風向変更部の回転時のがたつき低減することを目的とする。【解決手段】軸部１４の外周には、第１の風向変更保持部１７の第１の他方側筒部分２６が嵌り、第１の他方側筒部分２６の外周には風向筒部分２１が嵌り、第１の保持孔部分２７を介して軸部１４にねじ部分２４をねじ止めし、風向変更主板部分１９の一方側面を第１の保持主板部分２３の他方側面で支持し、化粧カバー１８は、カバー部２９の内面から伸びた円筒形状のカバー筒部３０とからなり、第１の一方側筒部分２５の外周面には雄ねじ部分２８を備え、カバー筒部３０の内周面には雌ねじ部分３１を有し、第１の一方側筒部分２５の外径は第１の他方側筒部分２６の外径より大きいものである。結果として、第１の一方側筒部分２５の径と、第１の他方側筒部分２６の径との差が大きくなり、風向変更部１６の回転時のがたつきを低減できるものである。【選択図】図４
2015148176.tif 000002
【特許請求の範囲】
【請求項１】
吸込口と吹出口を有する本体ケースと、前記本体ケースに設けた送風手段と、前記送風手段の風下側に備えた風向変更手段と、前記風向変更手段を回転させる回転手段とからなり、前記送風手段は、モータ部と、前記モータ部によって回転する羽根部とからなり、前記本体ケースは、前記吸込口と前記吹出口とを連通する軸方向が水平方向である筒形状の連通路内に前記モータ部を支持するモータ支持部を備え、前記モータ支持部は、一方側へ突出した軸部を有し、前記風向変更手段は、風向変更部と、前記風向変更部を前記軸部に回転自在に装着する第１の風向変更保持部と、前記第１の風向変更保持部に着脱可能な化粧カバーとからなり、前記風向変更部は、円板形状の風向変更主板部分と、前記風向変更主板部分の周縁に設けた多数の風向変更板部分と、前記風向変更主板部分の他方面側から伸びた円筒形状の風向筒部分と、前記風向変更主板部分の前記風向筒部分内部に設けた風向孔部分とを有し、前記第１の風向変更保持部は、円板形状の第１の保持主板部分と、前記第１の主板部分の一方面側から伸びた円筒形状の第１の一方側筒部分と、前記第１の主板部分の他方面側から伸びた円筒形状の第１の他方側筒部分と、前記第１の一方側筒部分と前記第１の他方側筒部分とを連通する第１の保持孔部分とを備え、前記軸部の外周には、前記風向孔部分を介して前記第１の他方側筒部分が嵌り、前記第１の他方側筒部分の外周には前記風向筒部分が嵌り、前記第１の保持孔部分とを介して前記軸部にねじ部分をねじ止めし、前記風向変更主板部分の一方側面を前記第１の保持主板部分の他方側面で支持し、前記化粧カバーは、椀形状のカバー部と、前記カバー部の内面から伸びた円筒形状のカバー筒部とからなり、前記第１の一方側筒部分の外周面には雄ねじ部分を備え、前記カバー筒部の内周面には前記雄ねじ部分に組み合わせる雌ねじ部分を有し、前記第１の一方側筒部分の外径は前記第１の他方側筒部分の外径より大きいことを特徴とする扇風機。
【請求項２】
前記風向変更部の前記風向筒部分と前記モータ支持部との間に第２の風向変更保持部を設け、前記風向変更部は、前記第１の風向変更保持部と前記第２の風向変更保持部とのみに接触し、前記風向変更部は、前記第１の風向変更保持部および前記第２の風向変更保持部と異なる樹脂材料であることを特徴とする請求項１に記載の扇風機。
【請求項３】
前記第１の風向変更保持部の前記第１の保持主板部分の周縁部には、前記化粧カバーの前記カバー筒部の先端と接触する回り止め部分を設けたことを特徴とする請求項１または２に記載の扇風機。
【請求項４】
前記回り止め部分は、前記第１の保持主板部分より他方側へ突出した突出部分を備えたことを特徴とする請求項３に記載の扇風機。
【発明の詳細な説明】
【技術分野】
【０００１】
本発明は、回転式の風向変更手段を備えた扇風機に関するものである。
【背景技術】
【０００２】
従来、この種の扇風機は、本発明は、吸込口と吹出口を有する本体ケースと、この本体ケースに設けた送風手段と、前記送風手段の風下側に備えた風向変更手段と、前記風向変更手段を回転させる回転手段とからなり、前記送風手段は、モータ部と、このモータ部によって回転する羽根部とからなり、前記本体ケースは、前記吸込口と前記吹出口とを連通する軸方向が水平方向である筒形状の連通路内に前記モータ部を支持するモータ支持部を備え、前記モータ支持部は、一方側へ突出した軸部を有し、前記風向変更手段は、風向変更部と、前記風向変更部を前記軸部に回転自在に装着する化粧カバーとからなり、前記風向変更部は、円板形状の風向変更主板部分と、前記風向変更主板部分の周縁に設けた多数の風向変更板部分と、前記風向変更主板部分の他方面側から伸びた円筒形状の風向筒部分と、前記風向変更主板部分の前記風向筒部分内部に設けた風向孔部分とを有し、前記化粧カバーは、椀形状のカバー部と、前記カバー部の内面から伸びた円筒形状の第１のカバー筒部と、前記第１のカバー筒部の内方に設けた第２のカバー筒部とからなり、軸部の外周面には雄ねじ部分を備え、第２のカバー筒部の内周面には前記雄ねじ部分に組み合わせる雌ねじ部分を有し、前記風向変更主板部分の一方側面を前記第１のカバー筒部の端部で支持するものが知られている（例えば、特許文献１参照）。
【先行技術文献】
【特許文献】
【０００３】
【特許文献１】特開昭６３−２６６１９２号公報
【発明の概要】
【発明が解決しようとする課題】
【０００４】
このような従来の扇風機における課題は、風向変更部の回転時のがたつきが大きいことである。
【０００５】
すなわち、従来の物においては、軸部の外周面の雄ねじ部分に、第２のカバー筒部の内周面の雌ねじ部分を合わせて化粧カバーを回転し、締め付けることにより、風向変更主板部分の一方側面を第１のカバー筒部の端部で支持していた。
【０００６】
第１のカバー筒部の径と、第２のカバー筒部の径がとの差が小さいと、風向変更部の回転時のがたつきが大きいものであった。
【０００７】
そこで、第１のカバー筒部の径と、第２のカバー筒部の径がとの差を大きくすることが考えられるが、第１のカバー筒部の径と、第２のカバー筒部の径がとの差を大きくすると、カバー部の径と、第２のカバー筒部の径との差も大きくなる。このように、カバー部の径と、第２のカバー筒部の径がとの差が大きくなると、化粧カバーの外面を掴み、締め付けると、第２のカバー筒部に掛かるモーメントが大きくなり、第２のカバー筒部における内周面の雌ねじ部分の破損に繋がる場合があった。
【０００８】
そこで本発明は、上記従来の課題を解決するものであり、扇風機の風向変更部の回転時のがたつき低減することを目的とする。
【課題を解決するための手段】
【０００９】
そして、この目的を達成するために、吸込口と吹出口を有する本体ケースと、前記本体ケースに設けた送風手段と、前記送風手段の風下側に備えた風向変更手段と、前記風向変更手段を回転させる回転手段とからなり、前記送風手段は、モータ部と、前記モータ部によって回転する羽根部とからなり、前記本体ケースは、前記吸込口と前記吹出口とを連通する軸方向が水平方向である筒形状の連通路内に前記モータ部を支持するモータ支持部を備え、前記モータ支持部は、一方側へ突出した軸部を有し、前記風向変更手段は、風向変更部と、前記風向変更部を前記軸部に回転自在に装着する第１の風向変更保持部と、前記第１の風向変更保持部に着脱可能な化粧カバーとからなり、前記風向変更部は、円板形状の風向変更主板部分と、前記風向変更主板部分の周縁に設けた多数の風向変更板部分と、前記風向変更主板部分の他方面側から伸びた円筒形状の風向筒部分と、前記風向変更主板部分の前記風向筒部分内部に設けた風向孔部分とを有し、前記第１の風向変更保持部は、円板形状の第１の保持主板部分と、前記第１の主板部分の一方面側から伸びた円筒形状の第１の一方側筒部分と、前記第１の主板部分の他方面側から伸びた円筒形状の第１の他方側筒部分と、前記第１の一方側筒部分と前記第１の他方側筒部分とを連通する第１の保持孔部分とを備え、前記軸部の外周には、前記風向孔部分を介して前記第１の他方側筒部分が嵌り、前記第１の他方側筒部分の外周には前記風向筒部分が嵌り、前記第１の保持孔部分とを介して前記軸部にねじ部分をねじ止めし、前記風向変更主板部分の一方側面を前記第１の保持主板部分の他方側面で支持し、前記化粧カバーは、椀形状のカバー部と、前記カバー部の内面から伸びた円筒形状のカバー筒部とからなり、前記第１の一方側筒部分の外周面には雄ねじ部分を備え、前記カバー筒部の内周面には前記雄ねじ部分に組み合わせる雌ねじ部分を有し、前記第１の一方側筒部分の外径は前記第１の他方側筒部分の外径より大きいことを特徴としたものであり、これにより所期の目的を達成するものである。
【発明の効果】
【００１０】
本発明によれば、吸込口と吹出口を有する本体ケースと、前記本体ケースに設けた送風手段と、前記送風手段の風下側に備えた風向変更手段と、前記風向変更手段を回転させる回転手段とからなり、前記送風手段は、モータ部と、前記モータ部によって回転する羽根部とからなり、前記本体ケースは、前記吸込口と前記吹出口とを連通する軸方向が水平方向である筒形状の連通路内に前記モータ部を支持するモータ支持部を備え、前記モータ支持部は、一方側へ突出した軸部を有し、前記風向変更手段は、風向変更部と、前記風向変更部を前記軸部に回転自在に装着する第１の風向変更保持部と、前記第１の風向変更保持部に着脱可能な化粧カバーとからなり、前記風向変更部は、円板形状の風向変更主板部分と、前記風向変更主板部分の周縁に設けた多数の風向変更板部分と、前記風向変更主板部分の他方面側から伸びた円筒形状の風向筒部分と、前記風向変更主板部分の前記風向筒部分内部に設けた風向孔部分とを有し、前記第１の風向変更保持部は、円板形状の第１の保持主板部分と、前記第１の主板部分の一方面側から伸びた円筒形状の第１の一方側筒部分と、前記第１の主板部分の他方面側から伸びた円筒形状の第１の他方側筒部分と、前記第１の一方側筒部分と前記第１の他方側筒部分とを連通する第１の保持孔部分とを備え、前記軸部の外周には、前記風向孔部分を介して前記第１の他方側筒部分が嵌り、前記第１の他方側筒部分の外周には前記風向筒部分が嵌り、前記第１の保持孔部分とを介して前記軸部にねじ部分をねじ止めし、前記風向変更主板部分の一方側面を前記第１の保持主板部分の他方側面で支持し、前記化粧カバーは、椀形状のカバー部と、前記カバー部の内面から伸びた円筒形状のカバー筒部とからなり、前記第１の一方側筒部分の外周面には雄ねじ部分を備え、前記カバー筒部の内周面には前記雄ねじ部分に組み合わせる雌ねじ部分を有し、前記第１の一方側筒部分の外径は前記第１の他方側筒部分の外径より大きいことを特徴としたものであり、これにより所期の目的を達成するものである。
【００１１】
すなわち、軸部の外周には、風向孔部分を介して第１の他方側筒部分が嵌り、第１の他方側筒部分の外周には風向筒部分が嵌り、第１の保持孔部分を介して軸部にねじ部分をねじ止めし、風向変更主板部分の一方側面を第１の保持主板部分の他方側面で支持し、化粧カバーは、椀形状のカバー部と、カバー部の内面から伸びた円筒形状のカバー筒部とからなり、第１の一方側筒部分の外周面には雄ねじ部分を備え、カバー筒部の内周面には雄ねじ部分に組み合わせる雌ねじ部分を有し、第１の一方側筒部分の外径は第１の他方側筒部分の外径より大きいものである。つまり、第１の一方側筒部分の外径を、第１の他方側筒部分の外径より大きくすることにより、カバー部の径と、カバー筒部の径との差が小さくなると共に、第１の一方側筒部分の径と、第１の他方側筒部分の径との差が大きくなる。結果として、締め付け時の化粧カバーのカバー筒部の雌ねじ部分の破損、および風向変更部の回転時のがたつきを低減できるものである。
【図面の簡単な説明】
【００１２】
【図１】本発明の実施の形態１の扇風機の外観斜視図
【図２】同扇風機の断面図
【図３】同扇風機の展開図
【図４】同扇風機の風向変更手段の展開図
【図５】同扇風機の風向変更手段の第１の風向変更保持部の断面図
【発明を実施するための形態】
【００１３】
以下、本発明の実施の形態について図面を参照しながら説明する。
【００１４】
（実施の形態１）
図１、２，３に示すように、本実施形態の扇風機は、本体ケース１と、送風手段２と、風向変更手段３と、回転手段４とを備えている。
【００１５】
本体ケース１は、吸込口５と吹出口６とを有している。吸込口５は、本体ケース１における背面側の円形の開口である。吹出口６は、本体ケース１における前面側の円形の開口である。吹出口６には、回転自在に、風向変更手段３が装着されている。本体ケース１は、吸込口５と吹出口６とを連通する軸方向が水平方向である筒形状の連通路７を備えている。この連通路７内に送風手段２を支持するモータ支持部８を設けている。本体ケース１は、支持体９に回動自在に装着されている。送風手段２によって、本体ケース１の吸込口５から吸い込まれた空気は、吹出口６へ送風される。本実施形態では、送風手段２による空気の流れにおける風上側を他方側、風下側を一方側とする。
【００１６】
送風手段２は、モータ支持部８に固定されたモータ部１０と、このモータ部１０によって回転する羽根部１１とから構成している。
【００１７】
モータ支持部８は、モータ部１０を固定するモータ固定部分１２と、このモータ固定部分１２から連通路７の内面に放射状に伸びた多数の支持部分１３とを備えている。モータ固定部分１２は、モータ支持部８の吹出口６側には、一方側へ突出した軸部１４を有している。
【００１８】
モータ部１０は、略円柱形状で、中心には、モータ軸１５を備え、羽根部１１は、モータ軸１５に固定されている。
【００１９】
風向変更手段３は、図３、４、５に示すように、風向変更部１６と、第１の風向変更保持部１７と、化粧カバー１８とを備えている。
【００２０】
風向変更部１６は、円板形状の風向変更主板部分１９を有している。この風向変更主板部分１９の周縁には、放射状に伸びた板形状の多数の風向変更板部分２０を備えている。風向変更主板部分１９の他方面側の中央には、軸方向が水平方向で、他方側へ伸びた円筒形状の風向筒部分２１を備えている。風向変更主板部分１９は、この風向筒部分２１内部に、軸方向が水平方向で、円形の孔である風向孔部分２２を有している。
【００２１】
第１の風向変更保持部１７は、円板形状の第１の保持主板部分２３を備えている。この第１の保持主板部分２３は、軸部１４にねじ部分２４によって固定される。この第１の保持主板部分２３の一方側面には、軸方向が水平方向で、一方側へ伸びた円筒形状の第１の一方側筒部分２５を備えている。第１の保持主板部分の他方側面には、軸方向が水平方向で、他方側へ伸びた円筒形状の第１の他方側筒部分２６を備えている。第１の保持主板部分２３の中央には、軸方向が水平方向で、第１の一方側筒部分２５と第１の他方側筒部分２６とを連通し、円形の孔である第１の保持孔部分２７を有している。第１の一方側筒部分２５の外周面には、雄ねじ部分２８を備えている。
【００２２】
化粧カバー１８は、椀形状のカバー部２９と、このカバー部２９の内面から軸方向が水平方向で、他方側へ伸びた円筒形状のカバー筒部３０とを備えている。カバー筒部３０の内周面には、第１の一方側筒部分２５の外周面の雄ねじ部分２８に組み合わせる雌ねじ部分３１を有している。
【００２３】
回転手段４は、風向変更手段３を回転させるもので、１例としては、ギヤードモータでギア３５を回転させるものである。このギア３５は、風向変更部１６の周縁部、つまり風向変更板部分２０の先端に設けた多数の筒部分３６と噛み合い、ギア３５の回転に伴って、風向変更手段３が回転する。
【００２４】
以上の構成において、モータ支持部８の軸部１４への風向変更手段３の取付けについて説明する。
【００２５】
まず、風向変更手段３の風向孔部分２２を介して、風向筒部分２１に、第１の風向変更保持部１７の第１の他方側筒部分２６を挿入する。この状態で、モータ支持部８の軸部１４に、第１の風向変更保持部１７の第１の他方側筒部分２６を挿入する。次に、第１の保持孔部分２７を介して、軸部１４にねじ部分２４をねじ止めする。最後に、化粧カバー１８のカバー筒部３０と、第１の風向変更保持部１７の第１の一方側筒部分２５とを合わせて、化粧カバー１８を回転させ、第１の風向変更保持部１７に化粧カバー１８を固定する。これにより、風向孔部分２２を介して第１の他方側筒部分２６が嵌り、第１の他方側筒部分２６の外周には風向筒部分２１が嵌るものである。
【００２６】
一方、上記の取付け順序を逆に行うと、モータ支持部８の軸部１４から風向変更手段３を取り外すことができる。すなわち、化粧カバー１８と、ねじ部分２４を外すことにより、容易に風向変更手段３を取り外すことが可能である。
【００２７】
本実施形態の特徴は、第１の一方側筒部分２５の外径は、第１の他方側筒部分２６の外径より大きい点である。
【００２８】
すなわち、第１の一方側筒部分２５の外径を、第１の他方側筒部分２６の外径より大きくすることにより、カバー部２９の径と、カバー筒部３０の径との差が小さくなるので、締め付け時の化粧カバー１８のカバー筒部３０へ掛かるモーメントが低減し、雌ねじ部分３１の破損を低減できる。
【００２９】
更に、風向変更主板部分１９の一方側面は、第１の保持主板部分２３の他方側面によって支持されるものである。ここで、第１の一方側筒部分２５の径と、第１の他方側筒部分２６の径との差が、大きくなるので、第１の他方側筒部分２６から第１の保持主板部分２３の周縁部までの距離も大きくなる。結果として、風向変更部１６の回転時のがたつきを低減できるものである。
【００３０】
また、風向変更部１６の風向筒部分２１とモータ支持部８との間に第２の風向変更保持部３２を備えるものである。これにより、風向変更部１６は、第１の風向変更保持部１７と第２の風向変更保持部３２とのみに接触する。そして、風向変更部１６は、第１の風向変更保持部１７および第２の風向変更保持部３２と異なる樹脂材料である。具体的には、
風向変更部１６は、ＡＢＳ樹脂で、第１の風向変更保持部１７および第２の風向変更保持部３２は、ポリアセタール樹脂である。これにより、摺動性が向上し、がたつきを低減できる。
【００３１】
また、図５に示すように、第１の風向変更保持部１７の第１の保持主板部分２３の周縁部には、化粧カバー１８のカバー筒部３０の先端と接触する回り止め部分３３を設けたものである。この回り止め部分３３は、円環形状である。これにより、化粧カバー１８を第１の風向変更保持部１７に締め付けると、カバー筒部３０の先端と回り止め部分３３とが接触し、締めすぎを抑制できる。また、カバー筒部３０の先端と回り止め部分３３とが接触するので、回り止め部分３３の厚みを低減できる。更に、第１の他方側筒部分２６から第１の保持主板部分２３の周縁部までの距離も、大きくなり、風向変更部１６の回転時のがたつきを更に低減できるものである。
【００３２】
また、回り止め部分は、第１の保持主板部分より他方側へ突出した突出部分３４を備えたものである。これにより、風向変更主板部分１９の一方側面は、第１の保持主板部分２３の突出部分３４の先端で支持されるものである。すなわち、接触面積が低減し、これにより、摺動性が向上し、がたつきを低減できる。
【産業上の利用可能性】
【００３３】
本発明によれば、軸部の外周には、風向孔部分を介して第１の他方側筒部分が嵌り、第１の他方側筒部分の外周には風向筒部分が嵌り、第１の保持孔部分を介して軸部にねじ部分をねじ止めし、風向変更主板部分の一方側面を第１の保持主板部分の他方側面で支持し、化粧カバーは、椀形状のカバー部と、カバー部の内面から伸びた円筒形状のカバー筒部とからなり、第１の一方側筒部分の外周面には雄ねじ部分を備え、カバー筒部の内周面には雄ねじ部分に組み合わせる雌ねじ部分を有し、第１の一方側筒部分の外径は第１の他方側筒部分の外径より大きいものである。つまり、第１の一方側筒部分の外径を、第１の他方側筒部分の外径より大きくすることにより、カバー部の径と、カバー筒部の径との差が小さくなると共に、第１の一方側筒部分の径と、第１の他方側筒部分の径との差が大きくなる。結果として、締め付け時の化粧カバーのカバー筒部の雌ねじ部分の破損、および風向変更部の回転時のがたつきを低減できるので、扇風機として有用である。
【符号の説明】
【００３４】
１      本体ケース
２      送風手段
３      風向変更手段
４      回転手段
５      吸込口
６      吹出口
７      連通路
８      モータ支持部
９      支持体
１０      モータ部
１１      羽根部
１２      モータ固定部分
１３      支持部分
１４      軸部
１５      モータ軸
１６      風向変更部
１７      第１の風向変更保持部
１８      化粧カバー
１９      風向変更主板部分
２０      風向変更板部分
２１      風向筒部分
２２      風向孔部分
２３      第１の保持主板部分
２４      ねじ部分
２５      第１の一方側筒部分
２６      第１の他方側筒部分
２７      第１の保持孔部分
２８      雄ねじ部分
２９      カバー部
３０      カバー筒部
３１      雌ねじ部分
３２      第２の風向変更保持部
３３      回り止め部分
３４      突出部分
３５      ギア
３６      筒部分
【図１】
2015148176.tif 000003
【図２】
2015148176.tif 000004
【図３】
2015148176.tif 000005
【図４】
2015148176.tif 000006
【図５】
2015148176.tif 000007